(57)【要約】【課題】商品がスタンディングパウチの内部空間に比べて大きさが小さい固形物である場合、棚に置いて陳列させる販売形態を採ることが可能で、吊り下げるスペースが少ない店舗において商品の売り上げの増大を図る上で有利なスタンディングパウチを提供すること。【解決手段】スタンディングパウチ１０の内部空間１００２に、内部空間１００２を、スタンディングパウチ１０の起立状態を得るに足る形状に保持する形状保持用片体１６Ａが設けられている。内部空間１００２で商品１２を保持する保持部３０が形状保持用片体１６Ａに設けられている。形状保持用片体１６Ａは保持部３０と協働して内部空間１００２において高さＨ方向、幅Ｗ方向、奥行きＤ方向における商品１２の位置を規制する。【選択図】図１
2020070045.tif 000002
【特許請求の範囲】
【請求項１】
両側および上部が接合された一対のフィルム側面と、それらフィルム側面の下部の間に接合されそれらフィルム側面の下部の間で展開されるフィルム底面とを有し、
前記フィルム底面が展開されることで起立状態となり前記起立状態でその内部空間は、上下方向の高さと、前記一対のフィルム側面の両側の方向の寸法である幅と、この幅に直交する奥行きとを有し、
前記内部空間よりも小さい大きさの固形の商品が前記内部空間に封入されたスタンディングパウチであって、
前記内部空間に、前記内部空間を、前記スタンディングパウチの起立状態を得るに足る形状に保持する形状保持用片体が設けられ、
前記内部空間で前記商品を保持する保持部が前記形状保持用片体に設けられ、
形状保持用片体は前記保持部と協働して前記内部空間において前記高さ方向、前記幅方向、前記奥行き方向における前記商品の位置を規制する、
ことを特徴とするスタンディングパウチ。
【請求項２】
前記保持部は、前記形状保持用片体に一体に形成されている、
ことを特徴とする請求項１記載のスタンディングパウチ。
【請求項３】
前記形状保持用片体は、前記フィルム底面の展開状態を保持し前記商品の前記幅方向および前記奥行き方向における位置を規制するする底面部と、前記奥行き方向の前記底面部の一端から起立し上方に延在して前記商品の前記高さ方向における位置を規制する背面部とを有している、
ことを特徴とする請求項１または２記載のスタンディングパウチ。
【請求項４】
前記保持部は、前記底面部に形成された商品保持用孔で構成されている、
ことを特徴とする請求項３記載のスタンディングパウチ。
【請求項５】
前記形状保持用片体は、前記内部空間の底部から前記高さ方向の中間部まで上方向に延在し前記保持部が設けられた背面部と、前記幅方向の両側に位置する背面部の両端からそれぞれ折り曲げられた一対の端面部とを有し、
前記背面部と一対の端面部は、前記一対のフィルム側面の間を拡げ少なくとも前記内部空間の底部から前記高さ方向の中間部までの前記内部空間の形状を保持し、かつ、前記高さ方向、前記幅方向、前記奥行き方向における前記商品の位置を規制する、
ことを特徴とする請求項１または２記載のスタンディングパウチ。
【請求項６】
前記背面部に高さ方向に間隔をおき前記幅方向に延在する２つの切れ目によりその両端が前記背面部に接続された帯片が形成され、
前記帯片と、前記帯片の上下の前記背面部部分とにより前記商品を挟持して保持する前記保持部が形成されている、
ことを特徴とする請求項３または５記載のスタンディングパウチ。
【請求項７】
前記背面部に高さ方向に間隔をおいた箇所に、切れ目を介して起立され互いに対向してそれぞれ商品保持用孔が形成された保持片が少なくとも２つ設けられ、
それら保持片の前記商品保持用孔により前記保持部が構成されている、
ことを特徴とする請求項３または５記載のスタンディングパウチ。
【請求項８】
前記スタンディングパウチの上部に係止孔が形成されている、
ことを特徴とする請求項１〜７の何れか１項記載のスタンディングパウチ。
【請求項９】
前記前記形状保持用片体は厚紙製である、
ことを特徴とする請求項１〜８の何れか１項記載のスタンディングパウチ。
【発明の詳細な説明】
【技術分野】
【０００１】
本発明は、スタンディングパウチに関し、より詳細には、スタンディングパウチの内部空間に比べて大きさが小さい固形の商品を封入する場合に好適なスタンディングパウチに関する。
【背景技術】
【０００２】
従来、固形の商品を販売する場合、商品を保持させた厚紙や合成樹脂製の薄板と共に袋に入れ、４辺がシールされたフィルムからなるほぼ扁平な袋とし、袋の上部の係止孔にフックを通し、吊り下げて陳列する形態が採られている。
そのため、販売形態としては、フックに吊り下げて陳列する販売形態しかとれず、吊り下げるスペースが少ない店舗では、このような販売形態の商品の売り上げの増大を図る上で不利となる。
一方、商品が粉や粒状物、流体、流動体の場合、そのような商品を封入する形態として樹脂フィルムを加工して底部を幅広にし、自立可能にしたいわゆるスタンディングパウチが提案されている。このスタンディングパウチの内部空間にそれら商品を充填し封入すると、スタンディングパウチの内部空間の拡げられた状態がそれらの商品により保持され、スタンディングパウチは安定した起立状態となる。
したがって、それらの商品は、棚に起立させて並べる販売形態を採ることができ、吊り下げるスペースが少ない店舗では、商品の売り上げの増大を図る有利となる。
【先行技術文献】
【特許文献】
【０００３】
【特許文献１】特開２０１６−６０５０４号公報
【発明の概要】
【発明が解決しようとする課題】
【０００４】
しかしながら、例えば、商品が携帯用消臭スプレー、あるいは、口紅、マスカラなどのように、スタンディングパウチの内部空間に比べて大きさが小さい固形の商品である場合、それらの商品をスタンディングパウチに封入しても、それらの商品でスタンディングパウチの安定した起立状態を得ることができない。
そのため、商品がスタンディングパウチの内部空間に比べて大きさが小さく、スタンディングパウチの内部空間の形状を保持できない固形物である場合、その販売形態としては、フックに吊り下げて陳列する販売形態しかとれず、吊り下げるスペースが少ない店舗では、その商品の売り上げの増大を図る上で不利となる。
本発明は前記事情に鑑み案出されたものであって、本発明の目的は、商品がスタンディングパウチの内部空間に比べて大きさが小さい固形物である場合、棚に置いて陳列させる販売形態を採ることが可能で、吊り下げるスペースが少ない店舗において商品の売り上げの増大を図る上で有利なスタンディングパウチを提供することにある。
【課題を解決するための手段】
【０００５】
上述の目的を達成するため、本発明は、両側および上部が接合された一対のフィルム側面と、それらフィルム側面の下部の間に接合されそれらフィルム側面の下部の間で展開されるフィルム底面とを有し、前記フィルム底面が展開されることで起立状態となり前記起立状態でその内部空間は、上下方向の高さと、前記一対のフィルム側面の両側の方向の寸法である幅と、この幅に直交する奥行きとを有し、前記内部空間よりも小さい大きさの固形の商品が前記内部空間に封入されたスタンディングパウチであって、前記内部空間に、前記内部空間を、前記スタンディングパウチの起立状態を得るに足る形状に保持する形状保持用片体が設けられ、前記内部空間で前記商品を保持する保持部が前記形状保持用片体に設けられ、形状保持用片体は前記保持部と協働して前記内部空間において前記高さ方向、前記幅方向、前記奥行き方向における前記商品の位置を規制することを特徴とする。
また、本発明は、前記保持部は、前記形状保持用片体に一体に形成されていることを特徴とする。
また、本発明は、前記形状保持用片体は、前記フィルム底面の展開状態を保持し前記商品の前記幅方向および前記奥行き方向における位置を規制するする底面部と、前記奥行き方向の前記底面部の一端から起立し上方に延在して前記商品の前記高さ方向における位置を規制する背面部とを有していることを特徴とする。
また、本発明は、前記保持部は、前記底面部に形成された商品保持用孔で構成されていることを特徴とする。
また、本発明は、前記形状保持用片体は、前記内部空間の底部から前記高さ方向の中間部まで上方向に延在し前記保持部が設けられた背面部と、前記幅方向の両側に位置する背面部の両端からそれぞれ折り曲げられた一対の端面部とを有し、前記背面部と前記一対の端面部は、前記一対のフィルム側面の間を拡げ少なくとも前記内部空間の底部から前記高さ方向の中間部までの前記内部空間の形状を保持し、かつ、前記高さ方向、前記幅方向、前記奥行き方向における前記商品の位置を規制することを特徴とする。
また、本発明は、前記背面部に高さ方向に間隔をおき前記幅方向に延在する２つの切れ目によりその両端が前記背面部に接続された帯片が形成され、前記帯片と、前記帯片の上下の前記背面部部分とにより前記商品を挟持して保持する前記保持部が形成されていることを特徴とする。
また、本発明は、前記背面部に高さ方向に間隔をおいた箇所に、切れ目を介して起立され互いに対向してそれぞれ商品保持用孔が形成された保持片が少なくとも２つ設けられ、それら保持片の前記商品保持用孔により前記保持部が構成されていることを特徴とする。
また、本発明は、前記スタンディングパウチの上部に係止孔が形成されていることを特徴とする。
また、本発明は、前記前記形状保持用片体は厚紙製であることを特徴とする。
【発明の効果】
【０００６】
本発明によれば、スタンディングパウチの内部空間に比べて大きさが小さい固形の商品を、棚に起立させて並べる販売形態を採ることが可能となる。
したがって、吊り下げるスペースが少ないなどの店舗でその商品の売り上げの増大を図る上で有利となる。
また、従来、扁平な袋に封入して販売していた商品を、扁平な袋とは異なり上部が偏平で下部が拡げられた形状のスタンディングパウチに封入して販売できることから、商品の販売形態に面白さを与え、また、商品が目立つようになり、さらには、販売形態の美観を高める上で有利となり、スタンディングパウチに封入された商品の売り上げの増大を図る上で有利となる。
また、商品を保持する保持部が設けられた形状保持用片体により、内部空間における高さ方向、幅方向、奥行き方向における商品の位置が規制されるため、出荷時から店頭での陳列時において商品がスタンディングパウチの内部において正規の位置に保持され、取り扱いを簡単に行なう上で有利となる。
また、保持部を形状保持用片体に一体に形成すると、両面接着テープや結束バンド、紙や樹脂で被覆されたワイヤなどを用いる場合に比べ、部品点数を増やすことなく保持部を簡単に短時間で製作する上で有利となり、スタンディングパウチのコストダウンを図る上で有利となる。
また、形状保持用片体を、底面部と背面部で構成すると、最小限の材料で形状保持用片体を製作可能となり、コストの削減化を図る上で有利となり、また、スタンディングパウチの軽量化を図る上で有利となる。
また、形状保持用片体を、底面部と背面部で構成した場合、保持部は、底面部に形成した商品保持用孔により簡単に短時間で製作することが可能となり、スタンディングパウチのコストダウンを図る上で有利となる。
また、形状保持用片体を、背面部と一対の端面部で構成すると、最小限の材料で形状保持用片体を製作可能となり、コストの削減化を図る上で有利となり、また、スタンディングパウチの軽量化を図る上で有利となる。
また、保持部は、背面部に形成した帯片によりまたは保持片により簡単に短時間で製作することが可能となり、スタンディングパウチのコストダウンを図る上で有利となる。
また、係止孔を設けると、店舗内の高さや広さ、レイアウトなどの事情に対応して、フックに吊り下げて陳列する販売形態および棚に置いて陳列させる販売形態の双方の販売形態から販売形態を選択することが可能となり、店舗で扱う各種の商品の売り上げの増大を図る上で不利となる。
また、形状保持用片体に厚紙を用いると、スタンディングパウチのコストダウンを図る上で有利となる。
【図面の簡単な説明】
【０００７】
【図１】第１の実施の形態の説明図で、（Ａ）は商品が封入されたスタンディングパウチの平面図、（Ｂ）は同正面図、（Ｃ）は同側面図である。
【図２】スタンディングパウチ本体の説明図で、（Ａ）は一対のフィルム側面のうちの一方のフィルム側縁の正面図、（Ｂ）は他方のフィルム側縁の正面図、（Ｃ）はフィルム底面の斜視図、（Ｄ）は接合部分を斜線で示した扁平な状態のスタンディングパウチ本体の正面図である。
【図３】形状保持用片体の説明図で、（Ａ）は展開した状態の側面図、（Ｂ）は同正面図、（Ｃ）は背面部に対して底面部が折り曲げられ商品が保持された状態の側面図である。
【図４】第１の実施の形態の変形例の説明図で、２つの商品が封入されたスタンディングパウチの正面図である。
【図５】第２の実施の形態の説明図で、（Ａ）は商品が封入されたスタンディングパウチの平面図、（Ｂ）は同正面図、（Ｃ）は同側面図である。
【図６】形状保持用片体の説明図で、（Ａ）は展開した状態の側面図、（Ｂ）は同正面図、（Ｃ）は背面部に対して底面部が折り曲げられ商品が保持された状態の側面図である。
【図７】第２の実施の形態の変形例の説明図で、（Ａ）は商品が封入されたスタンディングパウチの平面図、（Ｂ）は同正面図、（Ｃ）は同側面図である。
【図８】形状保持用片体の説明図で、（Ａ）は展開した状態の側面図、（Ｂ）は同正面図、（Ｃ）は保持片により商品が保持された状態の正面図、（Ｄ）保持片により商品が保持された状態の平面図である。
【発明を実施するための形態】
【０００８】
（第１の実施の形態）
次に、本発明のスタンディングパウチ１０の実施の形態について説明する。
まず、図１〜図３を参照して本発明の第１の実施の形態に係るスタンディングパウチ１０Ａについて説明する。
本実施の形態では、スタンディングパウチ１０Ａに封入する商品１２は携帯型消臭スプレーであり、スプレー部を有する合成樹脂製の容器本体と、スプレー部を覆う合成樹脂製のキャップ部とからなり、容器本体にキャップ部が結合した状態でほぼ均一外径の円柱状を呈し、すなわち、商品１２は細長形状を呈する固形物であり、後述するスタンディングパウチ１０Ａの内部空間１００２に比べて小さい。
スタンディングパウチ１０Ａは、スタンディングパウチ本体１４と、スタンディングパウチ本体１４に挿入される形状保持用片体１６Ａとを含んで構成されている。
【０００９】
図１、図２に示すように、スタンディングパウチ本体１４は、一対のフィルム側面１８０２とフィルム底面１８０４とを含んで構成され、このようなフィルムには従来公知の様々な合成樹脂が使用可能であり、また、紙や、紙と合成樹脂との混合形態を含む。
一対のフィルム側面１８０２は長方形状を呈し、図２（Ｄ）に斜線で示すように、一対のフィルム側面１８０２の両側の長辺部分１８０２Ａが接合されている。
図２（Ｃ）に示すように、フィルム底面１８０４は、２つに折り畳まれ、図２（Ｄ）に斜線で示すように、一対のフィルム側面１８０２の下方の短辺部分１８０２Ｂと長辺部分１８０２Ａの下部との間に挟まれ、それら下方の短辺部分１８０２Ｂと長辺部分１８０２Ａの端部とに接合され、図２（Ｃ）はフィルム底面１８０４が折り畳まれたスタンディングパウチ本体１４の扁平状態を示している。
フィルム底面１８０４は一対のフィルム側面１８０２の下方の短辺部分１８０２Ｂの間で展開され、スタンディングパウチ本体１４の底部を構成し、スタンディングパウチ本体１４の起立状態が形成される。
【００１０】
スタンディングパウチ本体１４の偏平状態あるいは起立状態から、一対のフィルム側面１８０２の上方の短辺部分１８０２Ｃから形状保持用片体１６Ａと共に商品１２がスタンディングパウチ本体１４の内部に挿入され、形状保持用片体１６Ａによりスタンディングパウチ本体１４の形状、言い換えるとスタンディングパウチ本体１４の内部形状が保持される。
そして、図１に示すように、一対のフィルム側面１８０２の上方の短辺部分１８０２Ｃが接合され、スタンディングパウチ１０Ａの内部空間１００２の上部の両側の長辺部分１８０２Ａに商品１２取り出し用の切り欠き２０が入れられ、必要に応じて上方の短辺部分１８０２Ｃに係止孔２２が形成され、形状保持用片体１６Ａと共に商品１２が封入された内部空間１００２を有するスタンディングパウチ１０Ａが構成される。
形状保持用片体１６Ａがスタンディングパウチ１０Ａの内部に挿入されることで、スタンディングパウチ１０Ａの内部空間１００２は、すなわちスタンディングパウチ１０Ａは、スタンディングパウチ１０Ａの起立状態を得るに足る形状に保持される。
【００１１】
スタンディングパウチ１０Ａの起立状態でスタンディングパウチ１０Ａの内部空間１００２は、上下方向の高さＨと、一対のフィルム側面１８０２の両側の方向の寸法である幅Ｗと、この幅Ｗに直交する奥行きＤとを有している。
なお、一対のフィルム側面１８０２のうちの一方は、スタンディングパウチ１０Ａの正面１００４を構成し、例えば、正面１００４の中央に商品１２を視認できる透明部が設けられ、透明部の周囲に不透明部が設けられ、不透明部の上部に商品名が印字され、不透明部の下部に商品説明や会社名が印字される。
また、一対のフィルム側面１８０２のうちの他方は、スタンディングパウチ１０Ａの背面１００６を構成し、例えば、背面１００６の全域は不透明に形成され、背面には商品の使用方法、成分、会社名、製造所などが印字される。
【００１２】
図１、図３に示すように、形状保持用片体１６Ａは、上方の短辺部分１８０２Ｃが開放されたスタンディングパウチ本体１４の内部に挿入され、スタンディングパウチ本体１４の底部の幅Ｗと、奥行きＤとを保持する。
形状保持用片体１６Ａは、スタンディングパウチ１０Ａの内部空間１００２の形状を保持するに足る強さを持った紙や合成樹脂など従来公知の様々な材料が採用可能であるが、本実施の形態では、安価な厚紙を用いている。
形状保持用片体１６Ａは、底面部２４と、底面部２４の奥行きＤ方向の端部から起立する背面部２６とを有する一枚の厚紙で構成されている。
底面部２４は、正面１００４を構成するフィルム側面１８０２と背面１００６を構成するフィルム側面１８０２に接触して、あるいは、それらフィルム側面１８０２とフィルム底面１８０４に接触して、フィルム底面１８０４の展開状態を保持し、スタンディングパウチ本体１４（スタンディングパウチ１０Ａ）の底部の形状を保持する箇所であり、また、スタンディングパウチ１０Ａの内部空間１００２の幅Ｗ方向および奥行きＤ方向における商品１２の位置を規制する箇所でもある。
【００１３】
背面部２６は、背面１００６を構成するフィルム側面１８０２に接触してスタンディングパウチ１０Ａの内部空間１００２の高さＨ方向における形状を保持し、また、スタンディングパウチ１０Ａの内部空間１００２の高さＨ方向における形状保持用片体１６Ａの位置を規制する箇所であり、言い換えると、内部空間１００２の高さＨ方向における商品１２の位置を規制する箇所である。ここで内部空間１００２において高さＨ方向、幅Ｗ方向、奥行きＤ方向における商品１２の位置を規制するとは、内部空間１００２において設計した正規の位置に商品１２を移動不能に位置させることは無論のこと、スタンディングパウチ１０Ａの大きさにもよるが、正規の位置から高さＨ方向、幅Ｗ方向、奥行きＤ方向において所定の範囲、例えば、±２ｍｍの範囲に商品を留めることをいう。
背面部２６は、スタンディングパウチ１０Ａの背面１００６を構成するフィルム側面１８０２に近接して配置される。
背面部２６の下部には、偏平状態のスタンディングパウチ本体１４の上方の短辺部分１８０２Ｃから、商品１２と共に形状保持用片体１６Ａがスタンディングパウチ本体１４へ円滑に挿入されるように、下方に至るにつれて幅が次第に小さくなる傾斜部２６０２が設けられている。
底面部２４は、展開されたフィルム底面１８０４の平面視形状に対応し、中央部の幅Ｗが最も広く、中央部から離れるにつれて幅Ｗが次第に縮小する形状で形成されている。
底面部２４と背面部２６とは、折れ線２８により接続され、背面部２６に対して底面部２４を折り曲げやすいように図られている。
折れ線２８は、例えば、多数の切れ目や孔が間隔をおいて並べられることで形成され、背面部２６側に凸の曲線で形成されている。
【００１４】
底面部２４の中央には、商品１２を保持する保持部３０が底面部２４に一体に形成され、すなわち、保持部３０が形状保持用片体１６Ａに一体に形成されている。
保持部３０は、商品保持用孔３２により構成され、商品保持用孔３２は、商品１２よりも小さい内径の円形の孔３２０２と、孔３２０２の外周の周方向に等間隔をおいた複数箇所から孔の半径方向外側に延びる複数の切れ目の間に形成された複数の片３２０４とで構成されている。
したがって、商品保持用孔３２に商品１２の下部を押し込むと、複数の片３２０４が下方に折れ曲がり、複数の片３２０４により商品１２の下部が保持され、底面部２４上で商品１２の起立状態が保持されるように構成されている。
また、このように底面部２４上で支持された商品１２の後方に位置する背面部２６の表面には、商品１２を引き立たせる色彩や模様、文字が形成されている。
なお、保持部３０は、両面接着テープや結束バンド、紙や樹脂で被覆されたワイヤなどにより構成し、それらで商品１２を保持するようにしてもよいが、本実施の形態のように保持部３０を形状保持用片体１６Ａに一体に形成すると、部品点数を増やすことなく保持部３０を簡単に短時間で製作する上で有利となる。
【００１５】
次に、商品１２が封入されたスタンディングパウチ１０Ａの製造方法について説明する。
上方の短辺部分１８０２Ｃを除き、一対のフィルム側面１８０２の両側の長辺部分１８０２Ａが接合され、下部の短辺部分１８０２Ｄの間にフィルム底面１８０４が挟まれて接合されたスタンディングパウチ本体１４を製造する。
また、形状保持用片体１６Ａを折れ線２８部分で９０度に折り曲げ、背面部２６から底面部２４を起立させる。
そして底面部２４の商品保持用孔３２に商品１２の下部を押し込み、商品保持用孔３２により商品１２を起立状態に保持させる。
このように保持部３０により商品１２が保持された形状保持用片体１６Ａを、スタンディングパウチ本体１４の上部の短辺部分１８０２Ｃからスタンディングパウチ本体１４の内部に挿入し、底面部２４によりフィルム底面１８０４を拡げ、起立可能な状態にし、スタンディングパウチ本体１４の上部の短辺部分１８０２Ｃを接合する。
そして、内部空間１００２の上部の両側の長辺部分１８０２Ａに商品１２取り出し用の切り欠き２０を入れ、また、スタンディングパウチ本体１４の上方の短辺部分に必要に応じて係止孔２２を形成することにより、商品１２が封入されたスタンディングパウチ１０Ａが製造される。
このように形状保持用片体１６Ａおよび商品１２が封入された状態で、スタンディングパウチ１０Ａの奥行きＤは底部から高さＨ方向の中間部まではほぼ均一となり、中間部から上部に至るにつれて奥行きＤが次第に小さくなる形状となる。
【００１６】
本実施の形態によれば、スタンディングパウチ１０Ａの内部空間１００２に比べて大きさが小さく、従来、扁平な袋に封入して吊り下げて販売する販売形態しかとれない消臭スプレーなどの固形の商品１２を、スタンディングパウチ１０Ａに封入し棚に起立させて並べる販売形態を採ることが可能となる。
したがって、吊り下げるスペースが少ない店舗での消臭スプレーなどの固形の商品１２の売り上げの増大を図る上で有利となる。
また、従来、扁平な袋に封入して販売していた商品１２を、扁平な袋とは異なる形状のスタンディングパウチ１０Ａに封入して販売できることから、形状保持用片体１６Ａと協働して商品１２の販売形態に面白さを与え、また、商品１２が目立つようになり、さらには、販売形態の美観を高める上で有利となり、スタンディングパウチ１０Ａに封入された商品１２の売り上げの増大を図る上で有利となる。
また、内部空間１００２で商品１２を保持する保持部３０が形状保持用片体１６Ａに設けられているので、工場から店への出荷時や店での陳列時において、スタンディングパウチ１０Ａの内部空間１００２において商品１２が正規の位置に保持され、取り扱いを簡単に行なう上で有利となる。
詳細には、底面部２４により内部空間１００２の幅Ｗ方向および奥行きＤ方向における商品１２の位置が保持され、背面部２６により内部空間１００２の高さＨ方向における商品１２の位置が保持されているので、スタンディングパウチ１０Ａの取り扱いを簡単に行なう上で有利となる。
【００１７】
また、スタンディングパウチ１０Ａの上部に係止孔２２を設けたので、スタンディングパウチ１０Ａの内部空間１００２に比べて大きさが小さい携帯型消臭スプレーなどの固形の商品１２を販売する場合に、フックに吊り下げて陳列する販売形態と、棚に起立させて並べる販売形態の双方を採ることが可能となる。
したがって、店舗内の高さや広さ、レイアウトなどの事情に応じて販売形態を選択することが可能となり、店舗で扱う各種の商品の売り上げの増大を図る上で有利となる。
また、保持部３０を両面接着テープや結束バンド、紙や樹脂で被覆されたワイヤなどにより構成し、それらにより商品１２を底面部２４や背面部２６で保持するようにしてもよいが、本実施の形態のように保持部３０を形状保持用片体１６Ａに一体に形成すると、部品点数を増やすことなく保持部３０を簡単に短時間で製作する上で有利となり、スタンディングパウチ１０Ａのコストダウンを図る上で有利となる。
なお、保持部３０を底面部２４に設けずに、後述する第２の実施の形態の帯片４２や、商品保持用孔３２を有する保持片４６を背面部２６に一体に形成することで、保持部３０を背面部２６に設け、商品１２を背面部２６で保持するようにしてもよいことは無論のことである。
【００１８】
次に、図４を参照して第１の実施の形態の変形例について説明する。
なお、以下の変形例、実施の形態の説明では、第１の実施の形態と同一の箇所、部材には同一の符号を付してその説明を省略する。
この変形例のスタンディングパウチ１０Ｂでは、第１の実施の形態の形状保持用片体１６Ａと同一の輪郭の形状保持用片体１６Ｂの底面部２４に、円形の孔３２０２と複数の切れ目の間に形成された複数の片３２０４とからなる商品保持用孔３２（保持部３０）が複数設けられ、この変形例では２つ設けられ、それら保持部３０により２つの（複数の）商品１２が保持され、スタンディングパウチ１０Ｂに２つの（複数の）商品１２が封入されている。
すなわち、本発明のスタンディングパウチ１０に封入される商品１２の個数は第１の実施の形態のように単一に限定されず、複数であってもよい。
また、保持部３０を底面部２４に設けず、後述する第２の実施の形態の帯片４２や保持片４６を背面部２６に複数形成することで、複数の商品１２を背面部２６で保持するようにしてもよい。
【００１９】
次に、図５、図６を参照して第２の実施の形態について説明する。
第２の実施の形態のスタンディングパウチ１０Ｃでは、形状保持用片体１６Ｃの構造が第１の実施の形態と異なっており、スタンディングパウチ１０Ｃの構成や商品１２は第１の実施の形態と同様である。
第２の実施の形態の形状保持用片体１６Ｃは、図６（Ａ）、（Ｂ）に示すように、平面上に展開された状態で上下に細長の長方形状を呈する一枚の厚紙で構成されている。
形状保持用片体１６Ｃは、背面部３４と一対の端面部３６とを有し、保持部３０は背面部３４に設けられている。
形状保持用片体１６Ｃの上下方向の長さは、内部空間１００２の底部から高さＨ方向の中間部までの寸法で形成されている。
【００２０】
背面部３４は、形状保持用片体１６Ｃの幅方向の中央部において均一幅で上下方向に延在しており、一対の端面部３６は、幅方向の両側に位置する背面部３４の両端に折れ線３８を介して接続され、背面部３４よりも小さい寸法の均一幅で上下方向に延在している。なお、折れ線３８の構成は、第１の実施の形態の折れ線２８と同様である。
第２の実施の形態では、背面部３４が、背面１００６を構成するフィルム側面１８０２に接触すると共に一対の端面部３６が正面１００４を構成するフィルム側面１８０２に接触し、あるいは、加えて、背面部３４の下端と一対の端面部３６とがフィルム底面１８０４に接触し、内部空間１００２の底部から高さＨ方向の中間部までの内部空間１００２の形状を保持することで、スタンディングパウチ１０Ａが起立状態となる形状を保持し、また、内部空間１００２の高さＨ方向、幅Ｗ方向、奥行きＤ方向における商品１２の位置を規制する。
【００２１】
背面部３４の高さ方向の中間部に、高さ向に間隔をおき背面部３４の幅方向に延在する２つの切れ目４０によりその両端が背面部３４に接続された帯片４２が形成されている。
図６（Ａ）、（Ｂ）に示すように、帯片４２と、帯片４２の上下の背面部３４部分とにより商品１２を挟持して保持する保持部３０が形成されている。
【００２２】
次に、商品１２が封入された第２の実施の形態のスタンディングパウチ１０Ｃの製造方法について説明する。
まず、第１の実施の形態と同様に、スタンディングパウチ本体１４を製造し、また、形状保持用片体１６Ｃの一対の端面部３６を折れ線３８部分で背面部３４に対して折り曲げる。
そして背面部３４を湾曲させ、帯片４２の下に商品１２を押し込み、帯片４２と、帯片４２の上下の背面部３４の部分とにより商品１２の長さ方向の中間部を挟持して保持させる。
このように保持部３０により商品１２が保持された形状保持用片体１６Ｃを、スタンディングパウチ本体１４の上方の短辺部分１８０２Ｃからスタンディングパウチ本体１４の内部に挿入し、背面部３４と一対の端面部３６により一対のフィルム側面１８０２を離し、同時にフィルム底面１８０４を拡げ、起立可能な状態にし、スタンディングパウチ本体１４の上方の短辺部分１８０２Ｃを接合する。
そして、内部空間１００２の上部の両側の長辺部分１８０２Ａに商品１２取り出し用の切り欠き２０を入れ、また、必要に応じてスタンディングパウチ本体１４の上方の短辺部分１８０２Ｃに係止孔２２を形成することにより、商品１２が封入されたスタンディングパウチ１０Ｃが製造される。
このように形状保持用片体１６Ｃおよび商品１２が封入された状態で、スタンディングパウチ１０Ｃの奥行きＤは底部から、形状保持用片体１６Ｃの上端が位置する高さＨ方向の中間部まではほぼ均一となり、中間部から上部に至るにつれて奥行きＤが次第に小さくなる形状となる。
【００２３】
第２の実施の形態によっても、第１の実施の形態と同様な効果が奏される。
すなわち、従来、扁平な袋に封入して吊り下げて販売する販売形態しか採れない消臭スプレーなどの固形の商品１２を、棚に起立させて並べる販売形態を採ることが可能となり、吊り下げるスペースが少ない店舗での消臭スプレーなどの商品１２の売り上げの増大を図る上で有利となる。
また、従来、扁平な袋に封入して販売していた商品１２を、扁平な袋とは異なる形状のスタンディングパウチ１０Ｃに封入して販売できることから、形状保持用片体１６Ｃと協働して商品１２の販売形態に面白さを与え、また、商品１２が目立つようになり、さらには、販売形態の美観を高める上で有利となり、スタンディングパウチ１０Ｃに封入された商品１２の売り上げの増大を図る上で有利となる。
また、背面部３４と一対の端面部３６により内部空間１００２の高さＨ方向および幅Ｗ方向並びに奥行きＤ方向における商品１２の位置が保持されるのでスタンディングパウチ１０Ｃの取り扱いを簡単に行なう上で有利となる。
【００２４】
また、スタンディングパウチ１０Ｃに係止孔２２を設けると、店舗内の高さＨや広さ、レイアウトなどの事情に応じて吊り下げて陳列する販売形態と、棚に起立させて並べる販売形態の一方を選択することが可能となり、店舗で扱う各種の商品１２の売り上げの増大を図る上で有利となる。
また、保持部３０は、底面部２４や背面部３４に接着した両面接着テープにより構成し、両面接着テープにより商品１２を底面部２４や背面部３４で保持するようにしてもよいが、本実施の形態のように保持部３０を形状保持用片体１６Ｃに一体に形成すると、部品点数を増やすことなく保持部３０を簡単に短時間で製作する上で有利となる。
なお、この第２の実施の形態においても、スタンディングパウチ１０Ｃに封入される商品１２の個数は単一に限定されず、複数であってもよい。
【００２５】
次に、図７、図８を参照して第２の実施の形態の変形例について説明する。
この変形例のスタンディングパウチ１０Ｄでは、商品１２を保持する保持部３０の構造が第２の実施の形態と異なっている。
すなわち、変形例の形状保持用片体１６Ｄは、背面部３４と一対の端面部３６を有する第２の実施の形態の形状保持用片体１６Ｃと同一の輪郭を有し、保持部３０は、背面部３４に形成された複数の保持片４６により構成され、本例では２つの保持片４６により構成されている。
図８（Ｂ）に示すように、保持片４６は、形状保持用片体１６Ｄの背面部３４に高さ方向に間隔をおいた箇所に、円弧状の切れ目５０を介して形成され、図８（Ｃ）、（Ｄ）に示すように切れ目５０の両端を接続する折れ線５１部分から起立され、上下方向において互いに対向している。
それら保持片４６の中央には、同軸上に商品保持用孔３２が形成されている。
商品１２を保持する保持部３０は、それら保持片４６の商品保持用孔３２により構成され、商品保持用孔３２は、第１の実施の形態と同様に、商品１２よりも小さい内径の円形の孔３２０２と、孔３２０２の外周の周方向に等間隔をおいた複数箇所から孔の半径方向外側に延びる複数の切れ目の間に形成された複数の片３２０４とで構成されている。
したがって、上下の保持片４６の商品保持用孔３２に商品１２の上下部を押し込むと、各商品保持用孔３２の複数の片３２０４が折れ曲がり、複数の片３２０４により商品１２の上下部が保持され、商品１２の上下に延在する状態が保持されるように構成されている。
【００２６】
次に、商品１２が封入されたこの変形例のスタンディングパウチ１０Ｄの製造方法について説明する。
第２の実施の形態と同様に、一対の端面部３６を折れ線３８部分で背面部３４に対して折り曲げ、背面部３４を湾曲させ、上下の保持片４６を起立させて商品１２の上下部をそれら保持片４６の商品保持用孔３２に保持させる。
このように保持部３０により商品１２が保持された形状保持用片体１６Ｃを、スタンディングパウチ本体１４の上方の短辺部分１８０２Ｃからスタンディングパウチ本体１４の内部に挿入し、背面部３４と一対の端面部３６により一対のフィルム側面１８０２を離し、同時にフィルム底面１８０４を拡げ、起立可能な状態にし、スタンディングパウチ本体１４の上方の短辺部分１８０２Ｃを接合する。
そして、内部空間１００２の上部の両側の長辺部分１８０２Ａに商品１２取り出し用の切り欠き２０を入れ、また、必要に応じてスタンディングパウチ本体１４の上方の短辺部分１８０２Ｃに係止孔２２を形成することにより、商品１２が封入されたスタンディングパウチ１０Ｄが製造される。
この変形例によっても第２の実施の形態と同様な効果が奏される。
【００２７】
なお、スタンディングパウチ１０の起立状態を得るに足る内部空間１００２の形状を保持し、かつ、保持部３０と協働して内部空間１００２において高さＨ方向、幅Ｗ方向、奥行きＤ方向における商品１２の位置を規制する形状保持用片体１６Ａ〜１６Ｄの構造は、種々考えられ、第１、第２の実施の形態の構造に限定されず様々な構造に適用可能である。ただし、形状保持用片体を第１、第２の実施の形態の構造とすると、最小限の材料で形状保持用片体１６Ａ〜１６Ｄを製作でき、スタンディングパウチ１０のコストの削減化、軽量化を図る上で有利となる。
また、第１、第２の実施の形態では、商品１２が携帯用消臭スプレーである場合について説明したが、本発明のスタンディングパウチ１０に封入される固形の商品１２は携帯用消臭スプレーに限定されず、固形の商品１２として販売される各種の薬剤や、口紅、マスカラなどの化粧品、文房具など様々の商品１２に適用される。
また、第１、第２の実施の形態では、商品１２の形状が円柱状を呈している場合について説明したが、商品１２の形状は任意であり、商品１２の形状に応じて保持部３０の構造が異なり、その場合にも保持部３０には従来公知の様々な構造が採用可能であり、また、商品１２の形状に応じて保持部３０で保持する形状保持用片体１６Ａ〜１６Ｄ上での商品１２のレイアウトも変わる。
【符号の説明】
【００２８】
１０、１０Ａ，１０Ｂ、１０Ｃ、１０Ｄ……スタンディングパウチ
１００２……スタンディングパウチの内部空間
１００４……正面
１００６……背面
１２……商品
１４……ステンディングパウチ本体
１６Ａ，１６Ｂ、１６Ｃ、１６Ｄ……形状保持用片体
１８０２……フィルム側面
１８０２Ａ……長辺部分
１８０２Ｂ……下方の短辺部分
１８０２Ｃ天端下方の短辺部分
１８０４……フィルム底面
２０……切り欠き
２２……係止孔
２４……底面部
２６……背面部
２８……折れ線
２６０２……傾斜部
３０……保持部
３２……商品保持用孔
３２０２……円形の孔
３２０４……片
３４……背面部
３６……端面部
４０……切れ目
４２……帯片
４６……保持片
５０……切れ目
Ｈ……内部空間の高さ
Ｗ……内部空間の幅
Ｄ……内部空間の奥行き
【図１】
2020070045.tif 000003
【図２】
2020070045.tif 000004
【図３】
2020070045.tif 000005
【図４】
2020070045.tif 000006
【図５】
2020070045.tif 000007
【図６】
2020070045.tif 000008
【図７】
2020070045.tif 000009
【図８】
2020070045.tif 000010